(57)【要約】【課題】室内ユニットのフィルターで覆われる吸い込み口の仕様を現場で自由に変更可能とする空気調和機の室内ユニット及びそれを備えた空気調和機を得る。【解決手段】室内ユニット２１は、上吸い込み仕様（室内ユニット２１の上部にフィルター１が設置される仕様）であるが、室内ユニット２１の後部側にフィルター１が設置される仕様である後ろ吸い込み仕様とすることもできる。【選択図】図５
2013002736.tif 000002
【特許請求の範囲】
【請求項１】
吹き出し口を有する筐体と、
内部に冷媒が流通し、送り込まれる空気と該冷媒との熱交換を実施する利用側熱交換器と、
前記筐体外部から内部へ空気を吸い込み、前記利用側熱交換器へ向けて該空気を送り込む送風機と、
前記筐体内に吸い込まれる空気に含まれる塵埃等を除去し、可撓性を有するフィルターと、
前記筐体とは別体として構成され、前記筐体の外壁として機能し、前記筐体内部と外部とを遮断し、可撓性を有するパネルと、
前記フィルター及び前記パネルを前記筐体内に挿入する場合にガイドするガイド手段と、
を備え、
前記筐体は、前記送風機の上部に形成された上部開口部と、該上部開口部と隣接する側面のいずれかに形成された側面開口部とを有し、
前記フィルター及び前記パネルは、双方の端部において連結され、少なくとも同一平面の位置関係から垂直状態の位置関係になるまで回動自在とし、
該フィルター及び該パネルの連結体は、前記筐体の下面から前記ガイド手段に沿って、該フィルター側及び該パネル側のいずれの側からでも挿入可能であり、その挿入完了時において、該フィルターが前記上部開口部及び前記側面開口部のうち一方を閉口し、該パネルが他方を閉口し、
前記フィルターによって閉口された前記上部開口部又は前記側面開口部が、前記送風機の駆動によって前記筐体外部から内部に空気を吸い込むための吸い込み口として構成され、
前記送風機の駆動によって、前記熱交換器によって熱交換された空気が前記吹き出し口から空調空間に吹き出される
ことを特徴とする空気調和機の室内ユニット。
【請求項２】
吹き出し口を有する筐体と、
内部に冷媒が流通し、送り込まれる空気と該冷媒との熱交換を実施する利用側熱交換器と、
前記筐体外部から内部へ空気を吸い込み、前記利用側熱交換器へ向けて該空気を送り込む送風機と、
前記筐体内に吸い込まれる空気に含まれる塵埃等を除去し、可撓性を有するフィルターと、
前記フィルターを前記筐体内に挿入する場合にガイドするガイド手段と、
を備え、
前記筐体は、前記送風機の上部から隣接する側面にかけて形成された開口部を有し、
該フィルターは、前記筐体の下面から前記ガイド手段に沿って挿入可能であり、その挿入完了時において、該フィルターが前記開口部を閉口し、
前記フィルターによって閉口された前記開口部が、前記送風機の駆動によって前記筐体外部から内部に空気を吸い込むための吸い込み口として構成され、
前記送風機の駆動によって、前記熱交換器によって熱交換された空気が前記吹き出し口から空調空間に吹き出される
ことを特徴とする空気調和機の室内ユニット。
【請求項３】
前記フィルター及び前記パネルは、同一の平面面積を有した
ことを特徴とする請求項１記載の空気調和機の室内ユニット。
【請求項４】
前記筐体の下面において前記フィルター及び前記パネルの連結体を挿入した挿入部から、該フィルター及び該パネルを連結した状態で、引き抜き可能に構成された
ことを特徴とする請求項１又は請求項３記載の空気調和機の室内ユニット。
【請求項５】
前記筐体の下面において前記フィルターを挿入した挿入部から、該フィルターを引き抜き可能に構成された
ことを特徴とする請求項２記載の空気調和機の室内ユニット。
【請求項６】
前記側面開口部は、前記筐体において、前記吹き出し口に対向する面に形成された
ことを特徴とする請求項１、請求項３又は請求項４記載の空気調和機の室内ユニット。
【請求項７】
光透過性を有し、前記フィルターが前記筐体内に挿入されて設置された場合に、前記筐体の下面のうち該フィルターの状態が視認可能である位置に設置された点検用窓を備えた
ことを特徴とする請求項１〜請求項６のいずれか一項に記載の空気調和機の室内ユニット。
【請求項８】
前記筐体の下面に開閉自在に設置され、前記フィルターが前記筐体内に挿入されて設置された場合に、開状態のとき該フィルターの状態が視認可能である位置に設置された点検用窓を備えた
ことを特徴とする請求項１〜請求項６のいずれか一項に記載の空気調和機の室内ユニット。
【請求項９】
前記フィルターの内面の略全域に亘って設置され、前記送風機の騒音を吸収する消音材を備えた
ことを特徴とする請求項１〜請求項８のいずれか一項に記載の空気調和機の室内ユニット。
【請求項１０】
前記冷媒を圧縮する圧縮機と、
前記冷媒と前記空調空間外の空気との熱交換を実施する熱源側熱交換器と、
前記冷媒を減圧させる膨張装置と、
請求項１〜請求項９のいずれか一項に記載の空気調和機の室内ユニットと、
を備え、
前記圧縮機、前記熱源側熱交換器、前記膨張装置、及び、前記室内ユニットが備えた前記利用側熱交換器が冷媒配管によって接続されて冷凍サイクルが構成された
ことを特徴とする空気調和機。
【発明の詳細な説明】
【技術分野】
【０００１】
本発明は、天井裏に設置され、送風機及び熱交換器を有し、天井裏から吸い込んだ空気を熱交換器で加熱又は冷却し、ダクトを通じて空調空間に吹き出すビルトイン型の空気調和機の室内ユニット及びそれを備えた空気調和機に関する。
【背景技術】
【０００２】
従来のビルトイン型の空気調和機は、一般的に凝縮器、圧縮機、流量制御弁及び蒸発器によって構成された冷媒回路を備えている。冷房運転時においては、その冷媒回路に冷媒を循環させて、室内熱交換器（蒸発器）において冷媒が蒸発し、その蒸発潜熱によって室内空気を冷却し、空調空間に冷風を供給している。このとき、室外熱交換器（放熱器）において冷媒が潜熱を外気に放熱して液化し、流量制御弁を介して、室内熱交換器に供給される。一方、暖房運転時には、冷房運転時とは逆に、室外熱交換器において外気から潜熱を奪って蒸発した冷媒が室内熱交換器で液化して放熱する。
【０００３】
このようなビルトイン型の空気調和装置は、一般的に、建物の天井裏に設置され、熱交換器及び送風機から構成され、ダクトを通じて自由に吹出し口を設定できるため、室内の外観を損なわない空調が可能である。また、吸い込み口を天井裏に設けることによって、吸い込み口の形状を自在に設計できる。また、狭い天井懐にも対応できるように、吸い込み口の方向は、室内ユニットの後方又は下方のうちから選択できる場合が多い。
【０００４】
このような従来のビルトイン型の空気調和機において、下吸い込み仕様であり、下面である吸込グリルが片開き可能であるものが提案されている（例えば、特許文献１〜特許文献３参照）。
【先行技術文献】
【特許文献】
【０００５】
【特許文献１】特開２００３−２４０３３０号公報（第３頁、図２）
【特許文献２】特開平５−１８７６５８号公報（第３頁、図２）
【特許文献３】特許第３８４５７９５号公報（第３−４頁、図２）
【発明の概要】
【発明が解決しようとする課題】
【０００６】
しかしながら、ビルトイン型の空気調和機において、例えば、後ろ吸い込み仕様で使用する場合、圧損増加による風量低下を防ぐため、壁面等の障害物からある程度の距離を確保しなければならないという問題点があった。
【０００７】
また、上記の特許文献１〜特許文献３に記載された空気調和装置のように、下吸い込み仕様のものにおいては、空調空間への遮蔽物が少なくなるため、モーター又はファンの音が後ろ吸い込み仕様と比較して、吸収及び減衰されにくくなるため、空気調和機からの騒音が増加するという問題点もあった。さらに、下吸い込み仕様の場合、フィルターの埃が堆積する面が地面に対し、鉛直下向きになるため、ホテル等の客室、又は、飲食店の飲食エリア等に設置されている場合、埃が剥離して落下する等して、衛生面を害するという問題点もあった。
【０００８】
また、通常、空気調和機のフィルター位置を変更する場合は工具等を使いフィルターを交換する必要があり、作業性の負荷が高いという問題点があった。特に、室内ユニットの上方にフィルターを取り付けた場合は、フィルターの汚れ具合が視認しにくく、室内ユニット下面（すなわち、空調空間の天井面）からフィルターまでの距離があるため、メンテナンス性が悪いという問題点もあった。
【０００９】
本発明は、上記のような問題点を解消するためになされたもので、第１の目的は、室内ユニットのフィルターで覆われる吸い込み口の仕様を現場で自由に変更可能とする空気調和機の室内ユニット及びそれを備えた空気調和機を得ることである。
また、第２の目的は、フィルターを取り外すことなく、フィルターの汚れ具合及び目詰まり状態を確認することができる空気調和機の室内ユニット及びそれを備えた空気調和機を得ることである。
【課題を解決するための手段】
【００１０】
本発明に係る空気調和機の室内ユニットは、吹き出し口を有する筐体と、内部に冷媒が流通し、送り込まれる空気と該冷媒との熱交換を実施する利用側熱交換器と、前記筐体外部から内部へ空気を吸い込み、前記利用側熱交換器へ向けて該空気を送り込む送風機と、前記筐体内に吸い込まれる空気に含まれる塵埃等を除去し、可撓性を有するフィルターと、前記筐体とは別体として構成され、前記筐体の外壁として機能し、前記筐体内部と外部とを遮断し、可撓性を有するパネルと、前記フィルター及び前記パネルを前記筐体内に挿入する場合にガイドするガイド手段と、を備え、前記筐体は、前記送風機の上部に形成された上部開口部と、該上部開口部と隣接する側面のいずれかに形成された側面開口部とを有し、前記フィルター及び前記パネルは、双方の端部において連結され、少なくとも同一平面の位置関係から垂直状態の位置関係になるまで回動自在とし、該フィルター及び該パネルの連結体は、前記筐体の下面から前記ガイド手段に沿って、該フィルター側及び該パネル側のいずれの側からでも挿入可能であり、その挿入完了時において、該フィルターが前記上部開口部及び前記側面開口部のうち一方を閉口し、該パネルが他方を閉口し、前記フィルターによって閉口された前記上部開口部又は前記側面開口部が、前記送風機の駆動によって前記筐体外部から内部に空気を吸い込むための吸い込み口として構成され、前記送風機の駆動によって、前記熱交換器によって熱交換された空気を前記吹き出し口から空調空間に吹き出されるものである。
【発明の効果】
【００１１】
本発明によれば、上吸い込み仕様と後ろ吸い込み仕様とを選択可能であり、これによって、天井懐奥行きの狭い天井裏にも室内ユニットを設置することが可能となる。また、上吸い込み仕様又は後ろ吸い込み仕様に選択可能とすることによって、フィルターが下側に設置される下吸い込み仕様としていないので、フィルターに堆積した塵埃等が落下しにくく、衛生面で優れており、また、メンテナンス時以外はフィルターが見えない位置に設置されるため美観的にも優れている。さらに、上吸い込み仕様又は後ろ吸い込み仕様に選択可能とすることによって、下吸い込み仕様と比較して、送風機の駆動音を抑制することができる。
【図面の簡単な説明】
【００１２】
【図１】本発明の実施の形態１に係る空気調和機の断面構造図である。
【図２】本発明の実施の形態１に係る空気調和機におけるフィルター１及びパネル２の連結状態を示す図である。
【図３】本発明の実施の形態１に係る室内ユニット２１へフィルター１及びパネル２を挿入して設置する状態を示す図である。
【図４】本発明の実施の形態１に係る室内ユニット２１にフィルター１及びパネル２が挿入される前後の状態を示す図である。
【図５】本発明の実施の形態１に係る室内ユニット２１の後ろ吸い込み仕様状態及び上吸い込み仕様状態におけるフィルター１及びパネル２の設置状態を示す図である。
【図６】本発明の実施の形態２に係る空気調和機の室内ユニット２１の外観斜視図である。
【発明を実施するための形態】
【００１３】
実施の形態１．
（空気調和機の室内ユニット２１の構造）
図１は、本発明の実施の形態１に係る空気調和機の断面構造図である。
図１で示されるように、室内ユニット２１は、フィルター１、パネル２、取り付けレール３、点検用窓４、室内熱交換器５、膨張装置６、送風機７、ドレンパン１０及び吹き出し口１１を備えている。このうち、室内熱交換器５及び膨張装置６が、熱源側ユニット（図示せず）の圧縮機及び室外熱交換器（図示せず）と冷媒配管によって接続され、冷凍サイクルを構成している。また、室内ユニット２１は、ビルトイン型の空気調和機の空調用ユニットであり、空調空間の天井に埋設されており、図１では、設置例として、据付壁８の近傍に据え付けられた例を示している。
なお、図１の室内ユニット２１の断面図において左側を「後部」、右側を「前部」というものとする。
【００１４】
フィルター１は、後述する送風機７の駆動によって室内ユニット２１内に送り込まれる天井裏の空気に含まれる塵埃等を除去するものである。図１で示される室内ユニット２１は、上吸い込み仕様（室内ユニット２１の上部にフィルター１が設置される仕様）であるが、室内ユニット２１の後部側にフィルター１が設置される使用である後ろ吸い込み仕様とすることもできる。室内ユニット２１の筐体のうち、送風機７の上方部、又は、室内ユニット２１本体の後部側は開口されており、フィルター１は、そのいずれかの開口部（図４において後述する開口部１４ａ及び開口部１４ｂ）を覆う態様で設置される。また、フィルター１は、ナイロン、ポリエステル又は不織布等を材質とするものであり、可撓性を有するものである。
【００１５】
パネル２は、前述の開口部１４ａ又は開口部１４ｂを覆うものであり、後述するように、フィルター１と連結されている。また、パネル２は、樹脂材料等によって形成されたものであり、フィルター１と同様に、可撓性を有するものであり、フィルター１と同一の平面面積を有するものである。
【００１６】
取り付けレール３は、後述するように、連結されたフィルター１及びパネル２を室内ユニット２１内に挿入する際にガイドするものであり、挿入後にフィルター１及びパネル２の位置を固定する役割も担うものである。具体的には、取り付けレール３は、図４において後述する２枚のサイドパネル１３の内側に固定されており、室内ユニット２１の後部面に平行、及び、室内ユニット２１の上面に平行に取り付けられ、それぞれ上端部及び後部側端部はＲ形状のレールによって連結され、全体として略Ｌ字形状を呈している。
【００１７】
点検用窓４は、室内ユニット２１の下面に設置された透明な素材で形成された窓であり、メンテナンス者が、目線９のように、フィルター１の目詰まり状態を確認するためのものである。
なお、点検用窓４は、透明な素材で形成されることに限定されるものではなく、開閉可能な窓としてもよく、あるいは、少なくともフィルター１を視認することができる程度の光透過性を備える素材によって形成されるものとすればよい。
【００１８】
室内熱交換器５は、空気調和機が冷房運転する場合は、蒸発器として機能し、後述する膨張装置６によって減圧された冷媒と空気とを熱交換し、空気を冷却する。一方、室内熱交換器５は、空気調和機が暖房運転する場合は、放熱器として機能し、圧縮機から吐出され、圧縮機接続配管５ａを流通してきた冷媒と空気とを熱交換し、空気を加熱する。
【００１９】
膨張装置６は、室内熱交換器５、又は、室外熱交換器（図示せず）から流れてくる冷媒を膨張して減圧するものである。
なお、図１で示されるように、膨張装置６は、室内ユニット２１内部に備えられる構成としているが、これに限定されるものではなく、前述の熱源側ユニットに備えられる構成としてもよい。
【００２０】
送風機７は、その吹き出し口が室内熱交換器５に向けられるように設置されており、天井裏の空気をフィルター１を介して吸い込み、吹き出し口から室内熱交換器５へ向けて空気を吹き出すものである。
【００２１】
ドレンパン１０は、室内熱交換器５が蒸発器として機能した場合に結露して滴下する水、及び、蒸発器として機能している場合に発生及び付着した霜が、凝縮器としての機能に切り替わって溶解した場合に滴下する水を受けて一時的に貯留するものである。貯留した水は、例えば、ドレンパン１０の底面に排水口を設け、外部に排出可能な構造とすればよい。
【００２２】
吹き出し口１１は、前部に設置されており、送風機７によって送風され、室内熱交換器５によって冷媒と熱交換された空気を吹き出すものである。
【００２３】
なお、取り付けレール３及び室内熱交換器５は、それぞれ本発明の「ガイド手段」及び「利用側熱交換器」に相当する。また、室外熱交換器は、本発明の「熱源側熱交換器」に相当する。
【００２４】
（フィルター１及びパネル２の連結態様）
図２は、本発明の実施の形態１に係る空気調和機におけるフィルター１及びパネル２の連結状態を示す図である。このうち、図２（ａ）は、フィルター１側に消音材１２が設置された図を示し、図２（ｂ）は、フィルター１とパネル２とが連結され、フィルター１及びパネル２が同一平面の位置関係となる状態を示しており、そして、図２（ｃ）は、フィルター１とパネル２とが連結され、フィルター１の面とパネル２の面とが垂直の位置関係となる状態を示している。
【００２５】
図２（ａ）で示されるように、後述するようにフィルター１が、開口部１４ａ又は開口部１４ｂを覆った状態で、フィルター１の両面のうちの内面側に、フィルター１の略全域に亘って消音材１２が接着されている。この消音材１２は、送風機７の駆動音を低減させ、フィルター１を介して送風機７の駆動音が外部に漏れるのを抑制するものである。
【００２６】
図２（ｂ）で示されるように、パネル２には、フィルター１と隣接する端部に２箇所、爪部２ａが設けられている。また、フィルター１には、パネル２の爪部２ａの位置に合わせて、パネル２と隣接する端部に２箇所、穴部１ａが穿設されている。この爪部２ａが、穴部１ａに引っ掛けて嵌合させることによって、フィルター１とパネル２とが連結される。以上のようなフィルター１とパネル２との連結態様によって、図２（ｂ）で示されるよに、フィルター１及びパネル２が同一平面の位置関係となるような連結状態にすることもでき、図２（ｃ）で示されるように、穴部１ａと爪部２ａとの嵌合部を軸にして回動させ、フィルター１及びパネル２が垂直状態の位置関係となる連結状態にすることができる。
【００２７】
なお、爪部２ａは、フィルター１とパネル２とを連結するための強度を得るために、パネル２の材質とは異なる樹脂又は金属等によって形成されるものとすればよい。
また、図２においては、穴部１ａ及び爪部２ａは、それぞれ２つずつ形成されている状態が示されているが、これに限定されるものではなく、１つ又は３つ以上ずつ形成されるものとしてもよい。
また、フィルター１及びパネル２の、前述の嵌合部を軸とした回動範囲は、特に限定されるものではないが、少なくとも、図２（ｂ）で示されるように、フィルター１及びパネル２が同一平面の位置関係となるような連結状態にでき、図２（ｃ）で示されるように、フィルター１及びパネル２が垂直状態の位置関係となる連結状態にできる程度の回動範囲が確保されていればよい。
【００２８】
（フィルター１及びパネル２の挿入動作）
図３は、本発明の実施の形態１に係る室内ユニット２１へフィルター１及びパネル２を挿入して設置する状態を示す図であり、図４は、同室内ユニット２１にフィルター１及びパネル２が挿入される前後の状態を示す図である。以下、室内ユニット２１を上吸い込み仕様とするために、フィルター１及びパネル２を室内ユニット２１内に挿入する動作を説明する。
【００２９】
まず、フィルター１とパネル２とは、穴部１ａ及び爪部２ａによって互いに連結されているものとする。そして、室内ユニット２１の下部から、フィルター１側から挿入させる。具体的には、室内ユニット２１の後部側端部と、取り付けレール３との隙間にフィルター１側から挿入させる。そして、フィルター１が取り付けレール３に沿って、室内ユニット２１の上部に達するまで挿入させる。その状態を示すのが図３（ａ）である。
【００３０】
また、続けてパネル２側を室内ユニット２１内部に押し込むことによって、可撓性を有するフィルター１が、屈曲して取り付けレール３の上部側に沿って、室内ユニット２１の前部側方向に向けて挿入される。その状態を示すのが図３（ｂ）である。
【００３１】
そして、さらにパネル２を室内ユニット２１内部に押し込むことによって、パネル２全体が室内ユニット２１の内部に挿入された状態となる。この状態となると、フィルター１の全体が室内ユニット２１の上面と平行となり、パネル２の全体が室内ユニット２１の後部面と平行となる。また、フィルター１は、室内ユニット２１上部の外枠と、取り付けレール３の上側部とによって挟持され、パネル２は、室内ユニット２１後部側の外枠と、取り付けレール３の後部側によって挟持される。その状態を示すのが図３（ｃ）である。
【００３２】
また、図４（ａ）は、室内ユニット２１にフィルター１及びパネル２が装着される前の状態を示している。室内ユニット２１の内部の送風機７が設置される部分の左右側はサイドパネル１３が、室内ユニット２１の外面として設置され、室内ユニット２１の上部のサイドパネル１３に対応する部分には、開口部１４ａが形成され、室内ユニット２１の後部には、開口部１４ｂが形成されている。
【００３３】
そして、図４（ｂ）は、図３（ａ）〜図３（ｃ）によって示した態様で、室内ユニット２１にフィルター１及びパネル２が装着された後の状態を示している。室内ユニット２１にフィルター１及びパネル２が装着されることによって、フィルター１は、開口部１４ａを閉口させ、パネル２は、開口部１４ｂを閉口させることになる。
【００３４】
なお、図３及び図４は、室内ユニット２１が上吸い込み仕様の状態を示すものであるが、これに限定されるものではなく、以下に説明するように、後ろ吸い込み仕様とすることもできる。後ろ吸い込み仕様とする場合、まず、連結したフィルター１及びパネル２を、フィルター１側からではなく、パネル２側から、室内ユニット２１内部に挿入する。具体的には、室内ユニット２１の後部側端部と、取り付けレール３との隙間にパネル２側から挿入させる。以後の挿入の態様は、図３（ａ）〜図３（ｃ）で示されるものと同様である。このように、室内ユニット２１にフィルター１及びパネル２が装着されることによって、フィルター１は、開口部１４ｂを閉口させ、パネル２は、開口部１４ａを閉口させることになる。
【００３５】
また、開口部１４ａ及び開口部１４ｂは、それぞれ本発明の「上部開口部」及び「側面開口部」に相当する。さらに、開口部１４ａ及び開口部１４ｂは、本発明の「開口部」にも相当する。
【００３６】
図５は、本発明の実施の形態１に係る室内ユニット２１の後ろ吸い込み仕様状態及び上吸い込み仕様状態におけるフィルター１及びパネル２の設置状態を示す図である。なお、図５において、フィルター１及びパネル２の設置状態を認識しやすいように、取り付けレール３、サイドパネル１３、及び室内ユニット２１の後部を形成する外枠等の図示を省略している。また、図５における矢視Ａは、図１における矢視Ａと一致する。
図５（ａ）は、フィルター１が室内ユニット２１の後部に設置され、パネル２が室内ユニット２１の上部に設置された後ろ吸い込み仕様の状態を示すものである。また、図５（ｂ）は、フィルター１が室内ユニット２１の上部に設置され、パネル２が室内ユニット２１の後部に設置された上吸い込み仕様の状態を示すものである。
【００３７】
（室内ユニット２１の動作）
次に、図１を参照しながら、室内ユニット２１の動作の概要を説明する。
なお、室内ユニット２１には上吸い込み仕様となるようにフィルター１及びパネル２が設置されており、室内ユニット２１を含む空気調和機は冷房運転を実施するものとする。
【００３８】
まず、圧縮機（図示せず）によって圧縮された高温高圧冷媒は、室外熱交換器（図示せず）において外気に放熱して凝縮する。凝縮した高圧冷媒は、室内ユニット２１内に流入し、膨張装置６において減圧及び膨張され、低圧の気液二相冷媒となる。この気液二相冷媒は、室内熱交換器５に流入し、送風機７の駆動によって送り込まれる天井裏の空気と熱交換して蒸発し、この空気を冷却する。冷却された空気は、吹き出し口１１から室内ユニット２１の外部へ吹き出され、ダクト等を経由して空調空間に吹き出される。室内熱交換器５において蒸発した低温低圧冷媒は、圧縮機接続配管５ａを経由して、室内ユニット２１から流出し、圧縮機へ吸入され、再び圧縮される。
【００３９】
この際、送風機７の駆動によって、室内熱交換器５に向けて空気を送り込むには、フィルター１を介して、天井裏の空気を室内ユニット２１の内部に取り込まれることになる。この際、空気に含まれる塵埃等がフィルター１によって除去され、フィルター１の外面に蓄積されることになる。
【００４０】
（フィルター１のメンテナンス）
前述のように、室内ユニット２１の下面には、透明な素材で形成された点検用窓４が設置されており、この点検用窓４を介して、メンテナンス者は、フィルター１が塵埃等によって目詰まりを起こしているかを確認することができる。また、図１で示されるように、点検用窓４は、上吸い込み仕様（すなわち、フィルター１によって室内ユニット２１の開口部１４ａが閉口される仕様）においても、後ろ吸い込み仕様（すなわち、フィルター１によって室内ユニット２１の開口部１４ｂが閉口される仕様）においても、メンテナンス者がフィルター１を目視できるような位置（目線９参照）に設置されている。
【００４１】
これによって、フィルター１を取り外すことなく、フィルター１の汚れ具合及び目詰まり状態を確認することができ、メンテナンス性が向上する。
【００４２】
（実施の形態１の効果）
以上のように、本実施の形態の空気調和機の室内ユニット２１は、上吸い込み仕様と後ろ吸い込み仕様とを選択可能であり、これによって、天井懐奥行きの狭い天井裏にも室内ユニット２１を設置することが可能となる。
【００４３】
また、通常、上吸い込み仕様の場合、フィルターの汚れ具合が視認しにくく、室内ユニット下面（すなわち、空調空間の天井面）からフィルターまでの距離があるため、メンテナンス性が悪いという問題があったが、本実施の形態のように点検用窓４を設けることによって、上吸い込み仕様においても（また、後ろ吸い込み仕様においても）、汚れ具合及び目詰まり状態を確認することができるので、メンテナンス性が向上する。
【００４４】
また、フィルター１及びパネル２を連結状態とすることによって、フィルター１が上側に配置される上吸い込み仕様においても、室内ユニット２１の下面からパネル２を引き出すことに付随してフィルター１を取り外すことができるので、フィルター１のメンテナンス性がさらに向上する。
【００４５】
また、本実施の形態においては、上吸い込み仕様又は後ろ吸い込み仕様に選択可能とすることによって、フィルターが下側に設置される下吸い込み仕様としていないので、フィルター１に堆積した塵埃等が落下しにくく、衛生面で優れており、また、メンテナンス時以外はフィルター１が見えない位置に設置されるため美観的にも優れている。
【００４６】
さらに、上吸い込み仕様又は後ろ吸い込み仕様に選択可能とすることによって、下吸い込み仕様と比較して、送風機の駆動音を抑制することができる。
【００４７】
なお、連結されたフィルター１及びパネル２は、取り付けレール３によってガイドされて、室内ユニット２１内へ挿入後、取り付けレール３及び室内ユニット２１の外枠によって挟持されるものとしたが、これに限定されるものではない。例えば、取り付けレール３によるものではなく、連結されたフィルター及びパネル２を、設置位置にガイドする手段であればいずれの構造でもよい。
【００４８】
また、開口部１４ａが、室内ユニット２１の筐体に形成された吹き出し口１１と対向する面に形成されるものとしているが、これに限定されるものではない。例えば、図４（ａ）で示される開口部１４ｂは閉口され、その代わりに、サイドパネル１３に開口部１４ａに相当する開口部が形成され、この開口部及び開口部１４ａが、それぞれフィルター１又はパネル２によって閉口される構成としてもよい。
【００４９】
実施の形態２．
本実施の形態に係る空気調和機について、実施の形態１に係る空気調和機と相違する点を中心に説明する。
【００５０】
（空気調和機の室内ユニット２１の構造）
図６は、本発明の実施の形態２に係る空気調和機の室内ユニット２１の外観斜視図である。
図６で示されるように、本実施の形態に係る室内ユニット２１は、パネル２に相当する部材はなく、フィルター１が一体として、室内ユニット２１の上面、及び、後部面を覆うものである。ただし、フィルター１を室内ユニット２１の下面から挿入する場合、フィルター１全面が、取り付けレール３に沿うような態様で挿入及び設置されるものとする。これは、図１及び図３（ｃ）で示されるように、フィルター１を直角に屈曲させた状態で設置するものとすると、フィルター１を破損する可能性があるからである。ただし、フィルター１の強度が、直角に屈曲させるのに問題のないものであれば、図１及び図３（ｃ）で示されるように、直角に屈曲させた状態で設置される構成としてもよい。
【００５１】
（実施の形態２の効果）
以上の構成によって、実施の形態１における効果を有するのはもちろんのこと、室内ユニット２１の上面側及び後部面側が共に、フィルター１によって覆われることになるので、実施の形態１のように上面側又は後部面側のいずれかがフィルター１によって覆われる場合と比較して、塵埃等の堆積の密度が小さくなり、フィルター１のメンテナンス回数を低減することができる。
【符号の説明】
【００５２】
１  フィルター、１ａ  穴部、２  パネル、２ａ  爪部、３  取り付けレール、４  点検用窓、５  室内熱交換器、５ａ  圧縮機接続配管、６  膨張装置、７  送風機、８  据付壁、９  目線、１０  ドレンパン、１１  吹き出し口、１２  消音材、１３  サイドパネル、１４ａ、１４ｂ  開口部、２１  室内ユニット。
【図１】
2013002736.tif 000003
【図２】
2013002736.tif 000004
【図３】
2013002736.tif 000005
【図４】
2013002736.tif 000006
【図５】
2013002736.tif 000007
【図６】
2013002736.tif 000008